(57)【要約】【課題】試験装置において、大容量のプログラム電源を用いることなく、制御回路だけを動作させる低負荷試験と、それに続く高負荷試験とを瞬断なく行う。【解決手段】試験装置２０は第１及び第２電源ユニット２２，２３と切換えスイッチユニット２４とを備えている。第１電源ユニット２２は、動作試験時に、制御回路１２と接続されかつ該制御回路１２に所定の電圧波形を供給する。第２電源ユニット２３は、第１電源ユニット２２の定格出力よりも大きい定格出力を有する。切換えスイッチユニット２４は、バイパス通路２４ａと切換えスイッチ２４ｂとを有する。バイパス通路２４ａは、動作試験時に切換えスイッチ２４ｂをバイパスして制御回路１２と第１電源ユニット２２とを接続する。切換えスイッチ２４ｂは、動作試験時に制御回路１２と第２電源ユニット２３との接続状態に切換え可能なものである。【選択図】図１
2007147555.tif 000002
【特許請求の範囲】
【請求項１】
負荷要素と該負荷要素を制御する制御回路とを備えた制御ユニットの動作試験を行うための試験装置であって、
上記制御ユニットの動作試験時に、上記制御回路と接続されかつ該制御回路に所定の電圧波形を供給する第１電源ユニットと、
上記第１電源ユニットの定格出力よりも大きい定格出力を有する第２電源ユニットと、
上記制御ユニットの動作試験時に上記制御回路と上記第２電源ユニットとの間に位置するスイッチ手段とを備えたことを特徴とする試験装置。
【請求項２】
請求項１記載の試験装置において、
上記スイッチ手段は、上記制御ユニットの動作試験時における上記負荷要素の作動時に接続状態にされることを特徴とする試験装置。
【請求項３】
請求項１又は２記載の試験装置において、
上記制御ユニットは、車両のパワーウィンドウ制御ユニットであり、
上記負荷要素は、上記車両のウィンドウガラスを開閉させるためのモータであることを特徴とする試験装置。
【請求項４】
請求項１〜３のいずれか１つに記載の試験装置において、
上記第２電源ユニットは、定電圧電源であることを特徴とする試験装置。
【発明の詳細な説明】
【技術分野】
【０００１】
本発明は、試験装置に関するものである。
【背景技術】
【０００２】
従来から、パワーウィンドウ制御ユニットなどの電装品が知られている。この電装品は、モータと、このモータを制御する制御回路とを備えている。この制御回路は小電力で動作する。
【０００３】
電装品は、制御回路がノイズ波形や電源変動波形などで誤動作（不具合）を起こすことでその全体が誤動作を起こす場合がある。この電装品全体の誤動作を未然に防ぐため、電装品の動作試験を行っている。具体的には、まず、制御回路を動作させて、制御回路が誤動作を起こすかを調べる。制御回路が誤動作を起こした場合、さらにモータを動作させて、電装品全体が誤動作を起こすかを調べる。
【０００４】
例えば、特許文献１には、このような動作試験を行うための試験装置が示されている。この試験装置は、動作試験時に、制御回路と接続されかつこの制御回路にノイズ波形や電源変動波形などを供給するプログラム電源を備えている。
【特許文献１】特開平６−５８８４７号公報
【発明の開示】
【発明が解決しようとする課題】
【０００５】
ところで、プログラム電源で制御回路とともにモータも動作させることを可能にするため、プログラム電源を大容量のものにすることが考えられる。この大容量のプログラム電源は大型で高価なものである。これはスペース上及びコスト上の観点から好ましくない。
【０００６】
本発明は、かかる点に鑑みてなされたものであり、その目的とするところは、負荷要素と該負荷要素を制御する制御回路とを備えた制御ユニットの動作試験を行うための試験装置において、大容量のプログラム電源を用いることなく、制御回路だけを動作させる低負荷試験と、それに続く高負荷試験とを瞬断なく行う技術を提供することにある。
【課題を解決するための手段】
【０００７】
第１の発明は、負荷要素と該負荷要素を制御する制御回路とを備えた制御ユニットの動作試験を行うための試験装置であって、上記制御ユニットの動作試験時に、上記制御回路と接続されかつ該制御回路に所定の電圧波形を供給する第１電源ユニットと、上記第１電源ユニットの定格出力よりも大きい定格出力を有する第２電源ユニットと、上記制御ユニットの動作試験時に上記制御回路と上記第２電源ユニットとの間に位置するスイッチ手段とを備えたことを特徴とするものである。
【０００８】
これにより、制御ユニットの動作試験時には、制御回路と定格出力が比較的小さい第１電源ユニットとが常に接続される一方、制御ユニットの動作試験時における比較的大きい電力が必要な時には、スイッチ手段により、制御回路と定格出力が比較的大きい第２電源ユニットとをさらに接続できる。そのため、大容量のプログラム電源を用いることなく、制御回路だけを動作させる低負荷試験と、それに続く高負荷試験とを瞬断なく行うことができる。
【０００９】
第２の発明は、上記第１の発明において、上記スイッチ手段は、上記制御ユニットの動作試験時における上記負荷要素の作動時に接続状態にされることを特徴とするものである。
【００１０】
これにより、スイッチ手段を制御ユニットの動作試験時における負荷要素の作動時に接続状態にするため、制御ユニットの動作試験時における負荷要素の作動時には、制御回路と第２電源ユニットとがさらに接続される。すなわち、制御ユニットの動作試験時における比較的大きい電力が必要な負荷要素の作動時には、制御回路と定格出力が比較的大きい第２電源ユニットとがさらに接続される。そのため、大容量のプログラム電源を用いることなく、制御ユニットの動作試験において、制御回路だけを動作させる低負荷試験と、さらに負荷要素を動作させる高負荷試験とを瞬断なく行うことができる。
【００１１】
第３の発明は、上記第１又は第２の発明において、上記制御ユニットは、車両のパワーウィンドウ制御ユニットであり、上記負荷要素は、上記車両のウィンドウガラスを開閉させるためのモータであることを特徴とするものである。
【００１２】
これにより、車両のパワーウィンドウ制御ユニットの動作試験を行うための試験装置を提供できる。
【００１３】
第４の発明は、上記第１〜第３のいずれか１つの発明において、上記第２電源ユニットは、定電圧電源であることを特徴とするものである。
【００１４】
これにより、定格出力が比較的小さい第１電源ユニットと、定格出力が比較的大きく、電圧変動を吸収する第２電源ユニットとしての定電圧電源とを備えた試験装置を提供できる。
【発明の効果】
【００１５】
本発明によれば、制御ユニットの動作試験時には、制御回路と定格出力が比較的小さい第１電源ユニットとが常に接続される一方、制御ユニットの動作試験時における比較的大きい電力が必要な時には、制御回路と定格出力が比較的大きい第２電源ユニットとをさらに接続できる。そのため、大容量のプログラム電源を用いることなく、制御回路だけを動作させる低負荷試験と、それに続く高負荷試験とを瞬断なく行うことができる。したがって、試験装置の小型化及びコストダウンを図ることができる。
【００１６】
また、試験装置を小型化できるため、試験装置を容易に移動させることができる。これは、例えば制御ユニットの動作試験を複数箇所で行う場合に便利である。
【発明を実施するための最良の形態】
【００１７】
以下、本発明の実施形態を図面に基づいて詳細に説明する。
【００１８】
（実施形態１）
図１は、車両のパワーウィンドウ制御ユニット１０の動作試験を行う様子を示す図である。このパワーウィンドウ制御ユニット１０は、車両に実装されていない状態であって、車両のウィンドウガラスを開閉させるためのモータ１１（負荷要素に相当）と、このモータ１１を制御する制御回路１２とを備えている。このモータ１１は、制御回路１２と接続されている。制御回路１２は、モータ１１よりも小電力で動作するものであって、動作試験時に試験装置２０の切換えスイッチユニット２４と接続される。制御回路１２は、電子回路１２ａとドライブ回路１２ｂとを有している。
【００１９】
試験装置２０は、パーソナルコンピューター（以下、ＰＣ）２１と第１電源ユニット２２と第２電源ユニット２３と切換えスイッチユニット２４（スイッチ手段に相当）とを備えている。
【００２０】
ＰＣ２１は、動作試験を行うための各種操作を行ったり、この動作試験の結果を記憶したりするためのものである。ＰＣ２１は、第１電源ユニット２２の波形発生回路２２ａと接続されていて、入力端末及び記憶装置（図示せず）を有している。
【００２１】
第１電源ユニット２２は、動作試験時に制御回路１２を動作させてこれを評価するための小容量のプログラム電源である。第１電源ユニット２２は、動作試験時に、制御回路１２と接続されかつこの制御回路１２に所定のプログラム電圧波形（ノイズ波形や電源変動波形など）を供給していて、波形発生回路２２ａとアンプ２２ｂとを有している。この波形発生回路２２ａは、制御回路１２に供給される所定のプログラム電圧波形を発生させるためのものであって、アンプ２２ｂと接続されている。アンプ２２ｂは、切換えスイッチユニット２４と接続されている。なお、波形発生回路２２ａ、アンプ２２ｂ、及び切換えスイッチユニット２４は一体ではない。
【００２２】
第２電源ユニット２３は、動作試験時にモータ１１を動作させるための大容量の定電圧電源である。この定電圧電源としては、モータ１１の容量に応じた汎用のものが用いられる。第２電源ユニット２３は、切換えスイッチユニット２４と脱着可能に接続されていて、第１電源ユニット２２の定格出力よりも大きい定格出力を有している。
【００２３】
切換えスイッチユニット２４は、バイパス通路２４ａと切換えスイッチ２４ｂとを有している。このバイパス通路２４ａは、動作試験時に切換えスイッチ２４ｂをバイパスして制御回路１２と第１電源ユニット２２とを接続するためのものである。これにより、動作試験時には、制御回路１２と第１電源ユニット２２とがバイパス通路２４ａを介して常に接続される。バイパス通路２４ａには、ダイオード２４ｃが設けられている。切換えスイッチ２４ｂは、動作試験時に制御回路１２と第１電源ユニット２２との接続状態と制御回路１２と第２電源ユニット２３との接続状態とに切換え可能な手動式のものである。切換えスイッチ２４ｂは、動作試験時に制御回路１２と第１電源ユニット２２と第２電源ユニット２３との間に位置していて、動作試験時における通常時は第１電源ユニット２２との接続状態にされる一方、動作試験時におけるモータ１１の作動時は、第２電源ユニット２３との接続状態にされる。ここで、上述のように、動作試験時には、制御回路１２と第１電源ユニット２２とは常に接続されるため、切換えスイッチ２４ｂの第１電源ユニット２２側から第２電源ユニット２３側への切換えを瞬断なく行うことができる。このため、この切換え時に制御回路１２の評価結果は消滅しない。
【００２４】
−試験装置の動作−
以下、パワーウィンドウ制御ユニット１０の動作試験時における試験装置２０の動作について説明する。
【００２５】
まず、試験装置２０の切換えスイッチユニット２４をパワーウィンドウ制御ユニット１０の制御回路１２に接続する。このとき、切換えスイッチ２４ｂは第１電源ユニット２２との接続状態にされている。そして、波形発生回路２２ａからの電圧波形を主に切換えスイッチ２４ｂを介して制御回路１２に供給して、制御回路１２だけを動作させる。これにより、制御回路１２が誤動作を起こすかを調べる。
【００２６】
制御回路１２が誤動作を起こした場合、切換えスイッチ２４ｂを第１電源ユニット２２側から第２電源ユニット２３側に切り換えて、第２電源ユニット２３との接続状態にする。このとき、波形発生回路２２ａからの電圧波形がバイパス通路２４ａを介して制御回路１２に供給される。そして、第２電源ユニット２３からの電圧を切換えスイッチ２４ｂを介してモータ１１に供給して、さらにモータ１１を動作させる。これにより、パワーウィンドウ制御ユニット１０全体が誤動作を起こすかを調べる。
【００２７】
−効果−
以上により、本実施形態によれば、パワーウィンドウ制御ユニット１０の動作試験時には、制御回路１２と定格出力が比較的小さい第１電源ユニット２２とが常に接続される一方、パワーウィンドウ制御ユニット１０の動作試験時における比較的大きい電力が必要な時には、切換えスイッチユニット２４により、制御回路１２と定格出力が比較的大きい第２電源ユニット２３とをさらに接続できる。そのため、大容量のプログラム電源を用いることなく、制御回路１２だけを動作させる低負荷試験と、それに続く高負荷試験とを瞬断なく行うことができる。したがって、試験装置２０の小型化及びコストダウンを図ることができる。
【００２８】
また、試験装置２０を小型化できるため、試験装置２０を容易に移動させることができる。これは、パワーウィンドウ制御ユニット１０の動作試験を複数箇所で行う場合に便利である。
【００２９】
また、切換えスイッチユニット２４をパワーウィンドウ制御ユニット１０の動作試験時におけるモータ１１の作動時に第２電源ユニット２３との接続状態にするため、パワーウィンドウ制御ユニット１０の動作試験時におけるモータ１１の作動時には、制御回路１２と第２電源ユニット２３とがさらに接続される。すなわち、パワーウィンドウ制御ユニット１０の動作試験時における比較的大きい電力が必要なモータ１１の作動時には、制御回路１２と定格出力が比較的大きい第２電源ユニット２３とがさらに接続される。そのため、大容量のプログラム電源を用いることなく、パワーウィンドウ制御ユニット１０の動作試験において、制御回路１２だけを動作させる低負荷試験と、さらにモータ１１を動作させる高負荷試験とを瞬断なく行うことができる。
【００３０】
また、車両のパワーウィンドウ制御ユニット１０の動作試験を行うための試験装置２０を提供できる。
【００３１】
また、定格出力が比較的小さい第１電源ユニット２２と、定格出力が比較的大きく、電圧変動を吸収する第２電源ユニット２３としての定電圧電源とを備えた試験装置２０を提供できる。
【００３２】
（実施形態２）
図２は、車両１のパワーウィンドウ制御ユニット１０の動作試験を行う様子を示す図である。本実施形態は、パワーウィンドウ制御ユニット１０を車両１に実装した状態でこれの動作試験を行うものである。第２電源ユニット２３は、動作試験時に車両１の電装品全てを動作させるための定電圧電源である。この定電圧電源としては、電装品全ての容量に応じた汎用のものが用いられる。その他の点に関しては、実施形態１とほぼ同様の構成である。
【００３３】
−試験装置の動作−
以下、パワーウィンドウ制御ユニット１０の動作試験時における試験装置２０の動作について説明する。
【００３４】
まず、試験装置２０の切換えスイッチユニット２４をパワーウィンドウ制御ユニット１０の制御回路１２にハーネス２を介して接続する。そして、波形発生回路２２ａからの電圧波形を制御回路１２に供給して、制御回路１２だけを動作させる。これにより、制御回路１２が誤動作を起こすかを調べる。
【００３５】
制御回路１２が誤動作を起こした場合、切換えスイッチ２４ｂを第１電源ユニット２２側から第２電源ユニット２３側に切り換えて、第２電源ユニット２３との接続状態にする。そして、第２電源ユニット２３からの電圧を切換えスイッチ２４ｂを介してモータ１１を含む電装品全てに供給して、さらに電装品全てを動作させる。これにより、パワーウィンドウ制御ユニット１０全体が誤動作を起こすかを調べる。
【００３６】
本実施形態によれば、実施形態１とほぼ同様の作用効果が得られる。
【００３７】
また、パワーウィンドウ制御ユニット１０を車両１に実装した状態でこれの動作試験を行うことができる試験装置２０を提供できる。
【００３８】
また、試験装置２０を小型化できるため、試験装置２０を車両１の所まで容易に移動させることができる。これは、パワーウィンドウ制御ユニット１０を車両１に実装した状態でこれの動作試験を行う場合に便利である。
【００３９】
（その他の実施形態）
上記各実施形態では、パワーウィンドウ制御ユニット１０を制御ユニットにしているが、これに限らず、例えばワイパー制御ユニットを制御ユニットにしても良い。
【００４０】
また、上記各実施形態では、モータ１１を負荷要素にしているが、モータ１１以外の負荷要素を負荷要素にしても良い。
【００４１】
また、上記各実施形態では、切換えスイッチ２４ｂを動作試験時に制御回路１２と第１電源ユニット２２と第２電源ユニット２３との間に位置するようにしているが、これに限らず、例えば制御回路１２と第２電源ユニット２３との間に位置するようにしても良い。この場合、切換えスイッチ２４ｂを接続状態と切断状態とに切換え可能にする。
【００４２】
また、上記各実施形態では、切換えスイッチ２４ｂを手動式のものにしているが、これに限らず、例えば動作試験時におけるモータ１１の作動時に第２電源ユニット２３との接続状態に自動的に切り換わる自動式のものにしても良い。
【００４３】
また、上記各実施形態では、第２電源ユニット２３を定電圧電源にしているが、第１電源ユニット２２の定格出力よりも大きい定格出力を有する限り、如何なるものであっても良い。
【００４４】
また、上記各実施形態では、波形発生回路２２ａ、アンプ２２ｂ、及び切換えスイッチユニット２４を一体にしていないが、これらを一体にしても良い。
【００４５】
本発明は、実施形態に限定されず、その精神又は主要な特徴から逸脱することなく他の色々な形で実施することができる。
【００４６】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００４７】
以上説明したように、本発明にかかる試験装置は、大容量のプログラム電源を用いることなく、制御回路だけを動作させる低負荷試験と、それに続く高負荷試験とを瞬断なく行うことが必要な用途等に適用できる。
【図面の簡単な説明】
【００４８】
【図１】本発明の実施形態１に係る車両のパワーウィンドウ制御ユニットの動作試験を行う様子を示す図である。
【図２】実施形態２に係る車両のパワーウィンドウ制御ユニットの動作試験を行う様子を示す図である。
【符号の説明】
【００４９】
１    車両
１０  パワーウィンドウ制御ユニット
１１  モータ（負荷要素）
１２  制御回路
２０  試験装置
２２  第１電源ユニット
２３  第２電源ユニット
２４  切換えスイッチユニット（スイッチ手段）
【図１】
2007147555.tif 000003
【図２】
2007147555.tif 000004